【手続補正書】
【提出日】平成29年3月14日(2017.3.14)
【手続補正１】
【補正対象書類名】特許請求の範囲
【補正対象項目名】全文
【補正方法】変更
【補正の内容】
【特許請求の範囲】
【請求項１】
検層(well logging)ツールであって、
坑井(well)への挿入に適するハウジングであって、当該坑井が、ケーシング、及び、当該ケーシングの外側表面上のセメントボンドを有するものと、
前記ハウジング内に設けられ、また前記検層ツールが前記坑井内に設けられる際に、３ＭＨｚよりも大きい帯域幅と２．５ＭＨｚを超える中心周波数を有する符号化された超音波信号パルスを前記検層ツールを囲む流体に送信することに適し、前記検層ツールの動作中に、それらの符号化されたパルスを坑井内の表面から反射されたエコーパルスとして受信することに適する少なくとも１つのトランスデューサと、
前記トランスデューサに作動的に接続され、前記坑井内での作動に適する電子コントローラであって、前記トランスデューサに前記超音波信号を発生させるように構成される電子コントローラと、を備え、
前記坑井がケーシングを有し、
前記コントローラが、前記坑井のケーシングの面の変化から成る組の少なくとも１つ、および前記ケーシングの外側面上のセメントボンドの品質を求めるために、前記超音波信号の少なくとも１つのエコーパルスを前記放射信号と相関させるように構成され、
前記コントローラが、セメントボンド品質の変化を求めるために、エコーパルスの振幅の差を相関させるように構成され、
前記振幅の差が前記ケーシングの残響(reverbration)の崩壊速度(rate of decay)を求めるために使用される、
検層ツール。
【請求項２】
符号化パルスが周波数変調を用いて符号化される、請求項１に記載の検層ツール。
【請求項３】
符号化パルスがチャープ(chirp)される、請求項２に記載の検層ツール。
【請求項４】
前記コントローラが、前記坑井ケーシングの表面における変化を、約１ｍｍの空間分解能で求める、請求項３に記載の検層ツール。
【請求項５】
前記コントローラが、前記ケーシングの厚さの変化を求めるために、異なる面から反射されるエコーパルスの飛行時間(time of flight)の差を求めるように構成される、請求項３に記載の検層ツール。
【請求項６】
前記少なくとも１つのトランスデューサが、前記超音波信号の送信とそれらの信号のエコーパルスの受信の両方を行う単一の急速減衰(rapid-damping)圧電要素を備える、請求項３に記載の検層ツール。
【請求項７】
前記少なくとも１つのトランスデューサが互いに平行である送信機および受信機対を備える、請求項３に記載の検層ツール。
【請求項８】
前記送信機が、前記送信機の反対側の少なくとも２つの受信機領域間に位置決めされる、請求項７に記載の検層ツール。
【請求項９】
前記送信機および受信機対が放射対称(radially symmetric)である、請求項８に記載の検層ツール。
【請求項１０】
受信されるエコーパルスを、ケーシング面データ、ケーシング厚、およびセメントボンド品質を含む縮小(reduced)データファイルに変換する前記ハウジング内の電子機器を更に備える、請求項３に記載の検層ツール。
【請求項１１】
前記トランスデューサにより少なくとも３０分の期間受信されるエコーパルスから導出される信号を記憶する前記ハウジング内のデジタルストレージを更に備える、請求項３に記載の検層ツール。
【請求項１２】
前記中心周波数が約３．５ＭＨｚを超えており、前記少なくとも１つのトランスデューサが、同軸に配置される、請求項３に記載の検層ツール。
【請求項１３】
前記中心周波数が約４．５ＭＨｚを超えている、請求項１２に記載の検層ツール。
【請求項１４】
前記帯域幅が４．５ＭＨｚよりも大きい、請求項１２に記載の検層ツール。
【請求項１５】
検層ツールであって、
坑井への挿入に適するハウジングと、
前記ハウジング内に配置される少なくとも１つのトランスデューサであって、符号化された、３ＭＨｚよりも大きい帯域幅と２．５ＭＨｚよりも大きい中心周波数を有する超音波信号を、前記検層ツールが前記坑井内に設けられる際に、前記検層ツールを囲む液体内に送信することに適するトランスデューサと、
前記トランスデューサに作動的に接続され、前記坑井内での作動に適する電子コントローラであって、当該電子コントローラが、前記トランスデューサに前記超音波信号を発生させるように構成される電子コントローラと、
を備え、
前記少なくとも１つのトランスデューサが、互いに平行な送信機及び受信機の組を備え、
前記送信機が、前記送信機の反対側の少なくとも２つの受信機領域間に位置決めされ、
前記送信機と受信機の組が、放射対称であり、
前記送信機と受信機の組が、中心の、ディスク形状の送信機と、包囲する、リング状の受信機を備える、
検層ツール。
【請求項１６】
ケーシング坑井の少なくとも１つの性質を求めるための方法であって、
前記ケーシング坑井内に、検層ツールを降ろすステップであって、当該検層ツールが、
ハウジング内に配置され、前記検層ツールが、前記坑井内に配置される際に、３ＭＨｚよりも大きい帯域幅と２．５ＭＨｚよりも大きい中心周波数を有する符号化された超音波パルスを、前記検層ツールを囲む液体内に送信することに適し、前記検層ツールの動作中に、それらの符号化されたパルスを、坑井の表面から反射されたエコーパルスとして受信することに適する少なくとも１つのトランスデューサと、
前記トランスデューサに動作可能に接続され、坑井内の動作に適する電子コントローラと、を有する検層ツールであって、
前記電子コントローラが、前記トランスデューサに、超音波信号を生成させるように構成され、
前記コントローラが、前記超音波信号の少なくとも１つのエコーパルスを、放射された信号と対応付けて、坑井ケーシングの表面における変化と、前記ケーシングの外側表面上のセメントボンドの質と、からなる組の少なくとも１つを決定するように構成され、
前記コントローラが、複数のエコーパルスの振幅における差異を対応付けて、セメントボンドの質における変化を決定するように構成されるものである、
検層ツールを降ろすステップであって、振幅におけるそれらの差異が用いられて、ケーシングにおける残響の崩壊速度が決定されるものと、
一連の符号化超音波パルスを前記トランスデューサを用いて前記検層ツールを囲む流体に送信するステップと、
対応する一連のエコーパルスを受信するステップと、
前記コントローラを用いて、前記少なくとも１つの性質を求めるために、前記送信パルスを前記エコーパルスと相関させるステップと、を含む方法。
【請求項１７】
前記検層ツールによって送られる前記符号化されたパルスが、周波数変調を用いて符号化される、請求項１６に記載の方法。
【請求項１８】
前記検層ツールによって送られる、前記符号化されたパルスが、チャープされる、請求項１７に記載の方法。
【請求項１９】
前記少なくとも１つのトランスデューサが中心送信機と同心円状に配置される受信機を備える、請求項１８に記載の方法。
【請求項２０】
前記少なくとも１つのトランスデューサが、超音波パルスの送信と受信の両方を行う単一の急速減衰圧電要素を備える、請求項１９に記載の方法。
【請求項２１】
ケーシング坑井の少なくとも１つの性質を求めるための方法であって、
前記ケーシング坑井内に、検層ツールを降ろすステップであって、当該検層ツールが、
ハウジング内に配置され、前記検層ツールが、前記坑井内に配置される際に、３ＭＨｚよりも大きい帯域幅と２．５ＭＨｚよりも大きい中心周波数を有する符号化された超音波パルスを、前記検層ツールを囲む液体内に送信することに適し、前記検層ツールの動作中に、それらの符号化されたパルスを、坑井の表面から反射されたエコーパルスとして受信することに適する少なくとも１つのトランスデューサと、
前記トランスデューサに動作可能に接続され、坑井内の動作に適する電子コントローラと、を有する検層ツールであって、
前記電子コントローラが、前記トランスデューサに、超音波信号を生成させるように構成され、
前記少なくとも１つのトランスデューサが、互いに並列な送信機及び受信機の組を備え、
前記送信機が、少なくとも２つの受信機領域の間に、前記トランスデューサの反対側に配置され、
前記送信機と受信器の組が、放射対称であり、
前記送信機と受信機の組が、中心の、ディスク形状の送信機と、包囲する、リング状の受信機を備える、
検層ツールを降ろすステップと、
一連の符号化超音波パルスを前記トランスデューサを用いて前記検層ツールを囲む流体に送信するステップと、
対応する一連のエコーパルスを受信するステップと、
前記コントローラを用いて、前記少なくとも１つの性質を求めるために、前記送信パルスを前記エコーパルスと相関させるステップと、
を含む方法。